(57)【特許請求の範囲】
【請求項１】
上面と、前記上面に対向する底面と、前記上面と前記底面との外周辺それぞれを繋ぐように配置される４つの側面と、を有する所定のシート状部材により形成される略直方体の容器であって、
前記上面に形成される所定の上面側開口を少なくとも含む開口部と、
前記上面に形成される所定の折曲線を介して前記開口部の全部又は一部を覆うように連設される蓋部と、
前記蓋部における前記折曲線とは反対側の端部に形成される取手部と、
前記底面に形成され前記取手部を挿入可能な被挿入部と、
を備え、
前記蓋部における前記折曲線から前記取手部の先端までの長さは、前記折曲線から前記被挿入部までの距離よりも長い
容器。
【請求項２】
上面と、前記上面に対向する底面と、前記上面と前記底面との外周辺それぞれを繋ぐように配置される４つの側面と、を有する所定のシート状部材により形成される略直方体の容器であって、
前記上面に形成される折曲線と、
前記折曲線の両端それぞれから該上面における所定の外周辺を介して所定の側面に連続して形成される２本の切り込み線と、
前記２本の切り込み線の終端それぞれを繋ぐように配置される取手部と、
前記底面に所定長さの切り込みにより形成される前記取手部を挿入可能な被挿入部と、
を備え、
前記折曲線から前記所定の外周辺を介した前記取手部の先端までの長さは、前記折曲線から前記被挿入部までの距離よりも長い
容器。
【請求項３】
前記２本の切り込み線それぞれに沿って該切り込み線を挟む一方側と他方側とを分離させることで、
前記所定の側面から前記上面に連続して形成される開口部と、
前記折曲線を介して前記開口部の全部又は一部を覆うように連設される蓋部と、
を形成可能である請求項２に記載の容器。
【請求項４】
前記蓋部は、前記折曲線を軸として前記開口部に入り込むよう折り曲げられ、
前記取手部は、前記被挿入部に挿入され、
前記蓋部における全部又は一部は、該容器における内部空間を複数の空間に仕切る請求項３に記載の容器。
【請求項５】
前記蓋部における前記折曲線から前記所定の外周辺までの長さは、前記折曲線から前記底面までの距離と略同じ長さであり、
前記所定の外周辺から前記取手部における前記２本の切り込み線の終端の位置である根元部までの長さは、前記折曲線から前記底面に垂直に引いた線が前記底面と交差して形成される線から前記被挿入部までの距離と略同じ長さである請求項３又は４に記載の容器
【請求項６】
前記所定の側面には、前記取手部を挿入可能な封緘部が形成され、
前記開口部の全部又は一部を覆うように前記蓋部を配置すると共に、前記取手部を前記封緘部に挿入することで、前記蓋部を前記開口部を覆った状態で位置決めする請求項３から５のいずれかに記載の容器。
【請求項７】
上面と、前記上面に対向する底面と、前記上面と前記底面との外周辺それぞれを繋ぐように配置される４つの側面と、を有する所定のシート状部材により形成される略直方体の容器であって、
前記上面に形成される所定の上面側開口を少なくとも含む開口部と、
前記上面に形成される所定の折曲線を介して前記開口部の全部又は一部を覆うように連設される蓋部と、
前記所定の側面に略直交する他の側面に形成される側面側係止部と、
前記蓋部に形成され前記側面側係止部が挿入可能な上面側被係止部と、
を備える容器。
【請求項８】
前記他の側面には、前記側面側係止部が複数形成され、
前記蓋部には、前記折曲線と略平行に形成される１又は複数の蓋上折曲線が形成され、
前記複数の蓋上折曲線それぞれにおける前記折曲線側とは反対の側には、前記上面側被係止部が複数形成される請求項７に記載の容器。
【請求項９】
上面と、前記上面に対向する底面と、前記上面と前記底面との外周辺それぞれを繋ぐように配置される４つの側面と、を有する所定のシート状部材により形成される略直方体の容器であって、
前記上面に形成される折曲線と、
前記折曲線の両端それぞれから該上面における所定の外周辺を介して所定の側面に連続して形成される２本の切り込み線と、
前記所定の側面に略直交する他の側面に形成され、前記所定の側面側又は前記所定の側面と対向する側面の側に突出する略Ｕ字状の切り込みにより形成される側面側係止部と、
前記２本の切り込み線に挟まれた領域に形成され、前記所定の外周辺に対し略垂直な方向に延びる切り込みにより形成される上面側被係止部と、を備え、
前記上面側被係止部の前記所定の外周辺に対して略垂直な方向における長さは、前記側面側係止部の幅方向における長さよりも長く、
前記側面側係止部は、該側面側係止部における幅方向における中心から前記所定の外周辺と略直交し前記上面と前記他の側面とにより形成される他の外周辺までの長さが、前記折曲線から前記上面側被係止部における前記所定の外周辺と略直交する方向における中心までの長さが略同じ長さとなるよう形成される
容器。
【請求項１０】
前記２本の切り込み線に沿って該切り込み線を挟む一方側と他方側とを分離させることで、
前記所定の側面から前記上面に連続して形成される開口部と、
前記折曲線を介して前記開口部の全部又は一部を覆うように連設される蓋部と、
を形成可能である請求項９に記載の容器。
【請求項１１】
前記蓋部は、前記折曲線を軸として前記開口部に入り込むよう折り曲げられ、
前記側面側係止部は、前記略Ｕ字状における根元部を軸として該容器における内部空間側に入りこむよう折り曲げられ、
前記側面側係止部の全部又は一部は、前記上面側被係止部に挿入され、
前記蓋部における全部又は一部は、該容器における内部空間を複数の空間に仕切る請求項１０に記載の容器。
【請求項１２】
前記他の側面には、前記側面側係止部が複数形成され、
前記２本の切り込み線に挟まれた領域には、前記折曲線と略平行に形成される１又は複数の蓋上折曲線が形成され、
前記複数の蓋上折曲線それぞれにおける前記折曲線側とは反対の側には、前記上面側被係止部が複数形成される請求項９から１１のいずれかに記載の容器。
【請求項１３】
上面と、前記上面に対向する底面と、前記上面と前記底面との外周辺それぞれを繋ぐように配置される４つの側面と、を有する所定のシート状部材により形成される略直方体の容器であって、
前記上面に形成される所定の折曲線を介して連設される蓋部と、
前記蓋部における前記折曲線とは反対側の端部に形成される取手部と、
前記取手部又はその近傍に形成される端部側係止部と、
前記折曲線の一方側に形成され該容器を複数の分離容器に分離可能な分離部と、
前記分離部により該容器が複数の分離容器に分離された場合における前記折曲線を有する分離容器の底面部分に形成され前記端部側係止部を挿入可能な底面側被係止部と、
を備える容器。
【請求項１４】
上面と、前記上面に対向する底面と、前記上面と前記底面との外周辺それぞれを繋ぐように配置される４つの側面と、を有する所定のシート状部材により形成される略直方体の容器であって、
前記上面に形成される折曲線と、
前記折曲線の両端それぞれから該上面における所定の外周辺を介して所定の側面に連続して形成される２本の切り込み線と、
前記２本の切り込み線の終端それぞれを繋ぐように配置される取手部と、
前記折曲線の両端を繋ぎ該容器の外周を周回するように形成される周回切り込み線と、
前記取手部の近傍に形成され前記取手部側とは反対側に突出するような略Ｕ字状の切り込みにより形成される端部側係止部と、
前記底面における前記周回切り込み線に対して前記所定の側面と反対側に形成される前記端部側係止部を挿入可能な底面側被係止部と、
を備える容器。
【請求項１５】
前記切り込み線に沿って該切り込み線を挟む一方側と他方側とを分離させることで、前記折曲線に連設された蓋部を形成可能であり、
前記周回切り込み線に沿って該周回切り込み線を挟む一方側と他方側を分離させることで、該容器を、前記蓋部を有する第１分離容器と、前記蓋部を有しない第２分離容器とに分離可能である請求項１４に記載の容器。
【請求項１６】
前記第１分離容器において、
前記蓋部は、前記折曲線を軸として、前記周回切り込み線を挟む一方側と他方側とを分離させることで形成される側面側開口部の全部又は一部を覆うように折り曲げられ、
前記端部側係止部は、前記底面側被形成部に挿入され、
前記蓋部の全部又は一部は、該第１分離容器における新たな側面を形成する請求項１５に記載の容器。
【発明の詳細な説明】
【技術分野】
【０００１】
本発明は、所定の収納物を収納可能な容器に関する。
【背景技術】
【０００２】
従来より、例えば、化粧用・医療用等のパフ（化粧用パフ、パフ、カット綿、コットンなども呼称される）は、使用時に使い易いように所定の大きさにカットされ、所定の容器に収納された状態で販売等されている。
【０００３】
このパフは、例えば、シート状の素材で中綿を包んで袋状した物や、中綿の上下にシート素材を配し端部を圧着した物や、また、所定の脱脂綿を交絡させた物等を例示できるが、いずれにおいても、概ね剛性に乏しく、厚みが薄いものである。このため、例えば、複数のパフの端部を天地方向に配して、言い換えると、パフの広い面が横を向いた状態で該横方向において積層的に並べた状態で容器に収納される。この場合、容器に収納されたパフが取り出されるにしたがい、残された未使用のパフが容器内で倒れることがあり、その後の使用性を損なうという問題があった。
【０００４】
この問題を解決するため、例えば、容器内に複数の室を有する容器が提案されている（例えば、特許文献１参照）。
【特許文献１】特開平１０−１６７２５６号公報
【発明の開示】
【発明が解決しようとする課題】
【０００５】
しかし、特許文献１における複数の室を有する容器は、容器の構造が複雑になり、容器を構成する部材の使用量も多くなる。更に、これらにより容器の製造コストが増加する。そして、これらが本発明における課題である。
【０００６】
本発明は、外周を形成する部材を用いて内部空間を仕切ることが可能な容器を提供することを課題とする。
【課題を解決するための手段】
【０００７】
本発明者らは、容器に形成される内容物の取り出し口における蓋を、この取り出し口から容器の内部空間に入り込むよう折り曲げると共に、折り曲げられた状態の蓋を所定の係止手段により係止することで、容器の内部空間を複数に仕切ることができることを見出し、本発明を完成させた。
【０００８】
（１）  上面と、前記上面に対向する底面と、前記上面と前記底面との外周辺それぞれを繋ぐように配置される４つの側面と、を有する所定のシート状部材により形成される略直方体の容器であって、前記上面に形成される所定の上面側開口を少なくとも含む開口部と、前記上面に形成される所定の折曲線を介して前記開口部の全部又は一部を覆うように連設される蓋部と、前記蓋部における前記折曲線とは反対側の端部に形成される取手部と、前記底面に形成され前記取手部を挿入可能な被挿入部と、を備え、前記蓋部における前記折曲線から前記取手部の先端までの長さは、前記折曲線から前記被挿入部までの距離よりも長い容器。
【０００９】
（２）  上面と、前記上面に対向する底面と、前記上面と前記底面との外周辺それぞれを繋ぐように配置される４つの側面と、を有する所定のシート状部材により形成される略直方体の容器であって、前記上面に形成される折曲線と、前記折曲線の両端それぞれから該上面における所定の外周辺を介して所定の側面に連続して形成される２本の切り込み線と、前記２本の切り込み線の終端それぞれを繋ぐように配置される取手部と、前記底面に所定長さの切り込みにより形成される前記取手部を挿入可能な被挿入部と、を備え、前記折曲線から前記所定の外周辺を介した前記取手部の先端までの長さは、前記折曲線から前記被挿入部までの距離よりも長い容器。
【００１０】
（３）  前記２本の切り込み線それぞれに沿って該切り込み線を挟む一方側と他方側とを分離させることで、前記所定の側面から前記上面に連続して形成される開口部と、前記折曲線を介して前記開口部の全部又は一部を覆うように連設される蓋部と、を形成可能である（２）に記載の容器。
【００１１】
（４）  前記蓋部は、前記折曲線を軸として前記開口部に入り込むよう折り曲げられ、前記取手部は、前記被挿入部に挿入され、前記蓋部における全部又は一部は、該容器における内部空間を複数の空間に仕切る（３）に記載の容器。
【００１２】
（５）  前記蓋部における前記折曲線から前記所定の外周辺までの長さは、前記折曲線から前記底面までの距離と略同じ長さであり、前記所定の外周辺から前記取手部における前記２本の切り込み線の終端の位置である根元部までの長さは、前記折曲線から前記底面に垂直に引いた線が前記底面と交差して形成される線から前記被挿入部までの距離と略同じ長さである（３）又は（４）に記載の容器。
【００１３】
（６）  前記所定の側面には、前記取手部を挿入可能な封緘部が形成され、前記開口部の全部又は一部を覆うように前記蓋部を配置すると共に、前記取手部を前記封緘部に挿入することで、前記蓋部を前記開口部を覆った状態で位置決めする（３）から（５）のいずれかに記載の容器。
【００１４】
（７）  上面と、前記上面に対向する底面と、前記上面と前記底面との外周辺それぞれを繋ぐように配置される４つの側面と、を有する所定のシート状部材により形成される略直方体の容器であって、前記上面に形成される所定の上面側開口を少なくとも含む開口部と、前記上面に形成される所定の折曲線を介して前記開口部の全部又は一部を覆うように連設される蓋部と、前記所定の側面に略直交する他の側面に形成される側面側係止部と、前記蓋部に形成され前記側面側係止部が挿入可能な上面側被係止部と、を備える容器。
【００１５】
（８）  前記他の側面には、前記側面側係止部が複数形成され、前記蓋部には、前記折曲線と略平行に形成される１又は複数の蓋上折曲線が形成され、前記複数の蓋上折曲線それぞれにおける前記折曲線側とは反対の側には、前記上面側被係止部が複数形成される請求項７に記載の容器。
【００１６】
（９）  上面と、前記上面に対向する底面と、前記上面と前記底面との外周辺それぞれを繋ぐように配置される４つの側面と、を有する所定のシート状部材により形成される略直方体の容器であって、前記上面に形成される折曲線と、前記折曲線の両端それぞれから該上面における所定の外周辺を介して所定の側面に連続して形成される２本の切り込み線と、前記所定の側面に略直交する他の側面に形成され、前記所定の側面側又は前記所定の側面と対向する側面の側に突出する略Ｕ字状の切り込みにより形成される側面側係止部と、前記２本の切り込み線に挟まれた領域に形成され、前記所定の外周辺に対し略垂直な方向に延びる切り込みにより形成される上面側被係止部と、を備え、前記上面側被係止部の前記所定の外周辺に対して略垂直な方向における長さは、前記側面側係止部の幅方向における長さよりも長く、前記側面側係止部は、該側面側係止部における幅方向における中心から前記所定の外周辺と略直交し前記上面と前記他の側面とにより形成される他の外周辺までの長さが、前記折曲線から前記上面側被係止部における前記所定の外周辺と略直交する方向における中心までの長さが略同じ長さとなるよう形成される容器。
【００１７】
（１０）  前記２本の切り込み線に沿って該切り込み線を挟む一方側と他方側とを分離させることで、前記所定の側面から前記上面に連続して形成される開口部と、前記折曲線を介して前記開口部の全部又は一部を覆うように連設される蓋部と、を形成可能である（９）に記載の容器。
【００１８】
（１１）  前記蓋部は、前記折曲線を軸として前記開口部に入り込むよう折り曲げられ、前記側面側係止部は、前記略Ｕ字状における根元部を軸として該容器における内部空間側に入りこむよう折り曲げられ、前記側面側係止部の全部又は一部は、前記上面側被係止部に挿入され、前記蓋部における全部又は一部は、該容器における内部空間を複数の空間に仕切る（１０）に記載の容器。
【００１９】
（１２）  前記他の側面には、前記側面側係止部が複数形成され、前記２本の切り込み線に挟まれた領域には、前記折曲線と略平行に形成される１又は複数の蓋上折曲線が形成され、前記複数の蓋上折曲線それぞれにおける前記折曲線側とは反対の側には、前記上面側被係止部が複数形成される（９）から（１１）のいずれかに記載の容器。
【００２０】
（１３）  上面と、前記上面に対向する底面と、前記上面と前記底面との外周辺それぞれを繋ぐように配置される４つの側面と、を有する所定のシート状部材により形成される略直方体の容器であって、前記上面に形成される所定の折曲線を介して連設される蓋部と、前記蓋部における前記折曲線とは反対側の端部に形成される取手部と、前記取手部又はその近傍に形成される端部側係止部と、前記折曲線の一方側に形成され該容器を複数の分離容器に分離可能な分離部と、前記分離部により該容器が複数の分離容器に分離された場合における前記折曲線を有する分離容器の底面部分に形成され前記端部側係止部を挿入可能な底面側被係止部と、を備える容器。
【００２１】
（１４）  上面と、前記上面に対向する底面と、前記上面と前記底面との外周辺それぞれを繋ぐように配置される４つの側面と、を有する所定のシート状部材により形成される略直方体の容器であって、前記上面に形成される折曲線と、前記折曲線の両端それぞれから該上面における所定の外周辺を介して所定の側面に連続して形成される２本の切り込み線と、前記２本の切り込み線の終端それぞれを繋ぐように配置される取手部と、前記折曲線の両端を繋ぎ該容器の外周を周回するように形成される周回切り込み線と、前記取手部の近傍に形成され前記取手部側とは反対側に突出するような略Ｕ字状の切り込みにより形成される端部側係止部と、前記底面における前記周回切り込み線に対して前記所定の側面と反対側に形成される前記端部側係止部を挿入可能な底面側被係止部と、を備える容器。
【００２２】
（１５）  前記切り込み線に沿って該切り込み線を挟む一方側と他方側とを分離させることで、前記折曲線に連設された蓋部を形成可能であり、前記周回切り込み線に沿って該周回切り込み線を挟む一方側と他方側を分離させることで、該容器を、前記蓋部を有する第１分離容器と、前記蓋部を有しない第２分離容器とに分離可能である（１４）に記載の容器。
【００２３】
（１６）  前記第１分離容器において、前記蓋部は、前記折曲線を軸として、前記周回切り込み線を挟む一方側と他方側とを分離させることで形成される側面側開口部の全部又は一部を覆うように折り曲げられ、前記端部側係止部は、前記底面側被形成部に挿入され、前記蓋部の全部又は一部は、該第１分離容器における新たな側面を形成する（１５）に記載の容器。
【００２４】
また、上記容器に形成される切り込み線は、例えば、ミシン目状の切り込みや、シート状部材における厚さを薄くするような処理をした線状の部分を例示できるが、これに限定されない。
【発明の効果】
【００２５】
本発明によれば、外周を形成する部材を用いて内部空間を仕切ることが可能な容器を提供できる。
【発明を実施するための最良の形態】
【００２６】
以下、図面を参照して本発明を実施するための最良の形態を説明する。
【００２７】
図１は、本発明における第１実施形態の容器における斜視図である。図２は、第１実施形態の容器における平面図である。図３は、第１実施形態の容器における側面３０側の側面図である。図４は、第１実施形態の容器における側面４０側の側面図である。図５は、第１実施形態の容器における底面図である。図６は、図３における蓋部が開口した場合の図である。図７は、第１実施形態の容器における第１使用形態を説明する図である。図８は、第１実施形態の容器における第１使用形態を説明する図である。図９は、第１実施形態の容器における第２使用形態を説明する図である。図１０は、第１実施形態の容器における第２使用形態を説明する図である。
【００２８】
図１１は、第１実施形態の容器における第２使用形態を説明する図である。図１２は、図１１における分離容器の底面側からの斜視図である。図１３は、本発明における第２実施形態容器における斜視図である。図１４は、第２使用形態における使用形態を説明する図である。図１５は、第２使用形態における使用形態を説明する図である。図１６は、本発明における第３実施形態の容器における斜視図である。図１７は、第１実施形態の容器における展開図である。図１８は、パフを容器の長手方向に積層するように収納した場合の収納状態を説明する図である。図１９は、パフを容器の幅方向に積層するように収納した場合の収納状態を説明する図である。
【００２９】
「１」第１実施形態
図１から図１２、及び図１７により、本発明における第１実施形態の容器について説明する。
【００３０】
「１．１」概要
図１から１２に示すように、本実施形態における容器１は、上面１０と、上面１０に対向する底面２０と、上面１０の外周辺１１、１２、１３、１４それぞれと底面２０の外周辺２１、２２、２３、２４それぞれを繋ぐように配置される４つの側面３０、４０、５０、６０と、を有する所定のシート状部材により形成される略直方体の容器である。
【００３１】
容器１は、上面１０に形成される所定の上面側開口２ａを少なくとも含む開口部２と、上面１０に形成される所定の折曲線３ａ、３ｂを介して開口部２の全部又は一部を覆うように連設される蓋部４ａ、４ｂと、蓋部４ａ、４ｂにおける折曲線３ａ、３ｂとは反対側の端部に形成される取手部５ａ、５ｂと、底面２０に形成され取手部５ａ、５ｂを挿入可能な被挿入部２１０、２２０と、を備える。
【００３２】
そして、容器１は、蓋部４ａ、４ｂにおける折曲線３ａ、３ｂから取手部５ａ、５ｂの先端までの長さＫ１＋Ｋ２は、折曲線３ａ、３ｂから被挿入部２１０、２２０までの距離Ｌよりも長くなるよう形成される。
【００３３】
また、本実施形態における容器１は、上面１０に形成される所定の折曲線３ａ、３ｂを介して連設される蓋部４ａ、４ｂと、蓋部４ａ、４ｂにおける折曲線３ａ、３ｂとは反対側の端部に形成される取手部５ａ、５ｂと、取手部５ａ、５ｂ又はその近傍に形成される端部側係止部８ａ、８ｂと、折曲線３ａ、３ｂの一方側に形成され容器１を複数の分離容器に分離可能な分離部９３ａ、９３ｂと、分離部９３ａ、９３ｂにより容器１が複数の分離容器に分離された場合における折曲線３ａ、３ｂを有する分離容器の底面部分に形成され端部側係止部８ａ、８ｂを挿入可能な底面側被係止部２３０、２４０と、を備える。
【００３４】
上記により、本実施形態における容器１の概要について説明したが、その詳細な態様について、特に、販売時における態様や実際に使用される場合における所定の使用態様について説明する。
【００３５】
「１．２」各種態様
図１から図１２、及び図１７により、本実施形態における容器１の使用前や使用時における態様について説明する。
【００３６】
「１．２．１」使用前における態様
図１から図５に示すように、本実施形態における容器１は、上面１０と、上面１０に対向する底面２０と、上面１０の外周辺１１、１２、１３、１４それぞれと底面２０の外周辺２１、２２、２３、２４それぞれを繋ぐように配置される４つの側面３０、４０、５０、６０と、を有する所定のシート状部材により形成される略直方体の容器である。
【００３７】
この容器１は、上面１０に形成される折曲線３ａと、折曲線３ａの両端それぞれから上面１０における所定の外周辺１１を介して所定の側面３０に連続して形成される２本の切り込み線６ａ、７ａと、２本の切り込み線６ａ、７ａの終端それぞれを繋ぐように配置される取手部５ａと、底面２０に所定長さの切り込みより形成される取手部５ａを挿入可能な被挿入部２１０と、を備える。
【００３８】
そして、容器１における折曲線３ａから所定の外周辺１１を介した取手部５ａの先端までの長さＫ１＋Ｋ２は、折曲線３ａから被挿入部２１０までの距離Ｌよりも長くなるよう形成されている。
【００３９】
また、容器１は、上面１０に形成される折曲線３ａの両端を繋ぎ該容器１の外周を周回するように形成される第１周回切り込み線９０ａと、取手部５ａの近傍に形成され取手部側とは反対側に突出するような略Ｕ字状の切り込み８０により形成される端部側係止部８ａと、底面２０における周回切り込み線９０ａに対して所定の側面３０と反対側に形成される端部側係止部を挿入可能な底面側被係止部２４０と、を備える。
【００４０】
また、所定の側面３０には、取手部５ａを挿入可能な封緘部５０ａが形成される。後述する開口部２の全部又は一部を覆うように蓋部４ａを配置すると共に、取手部５ａを封緘部５０ａに挿入することで、蓋部４ａを開口部２を覆った状態で位置決めすることができる。
【００４１】
また、側面３０と対向する側面である側面５０の側にも、上記構成と同じ構成が略対称的に形成される。この側面５０側における所定の構成は、上記側面３０側における所定の構成要件と同様であるので、以下においては、主に側面３０側における構成等について説明する。
【００４２】
「１．２．２」容器の構造
容器１は、略所定のシート状部材により形成される略直方体の容器である。この略直方体は、例えば、図１７に示す所定形状に形成されたシート状部材８００を組み立てることで形成される。
【００４３】
図１７に示すように、シート状部材８００は、側面６０を形成する側面６０シート部８６０と、上面１０を形成する上面シート部８１０と、側面４０を形成する側面４０シート部８４０と、底面２０を形成する底面シート部８２０とが折り曲げ可能に連設される。
【００４４】
側面４０シート部８４０における底面シート部８２０又は上面シート部８１０が連設されていない上下縁には、所定幅の補強部材８４１、８４２が形成される。同様に、側面６０シート部８６０における上下縁には、所定幅の補強部材８６１、８６２が形成される。
【００４５】
底面シート部８２０における側面４０シート部８４０が連設された側とは反対側の側縁には、所定幅の接合部材８６５が連設される。
【００４６】
上面シート部８１０における側面４０シート部８４０又は側面６０シート部８６０が連設されていない上下縁には、それぞれ側面３０又は側面５０の一部を構成する上側フラップ８３２又は上側フラップ８５２が連設される。
【００４７】
底面シート部８２０における側面４０シート部８４０又は接合部材８６５が連設されていない上下縁には、それぞれ側面３０又は側面５０の一部を構成する下側フラップ８７１又は下側フラップ８５１が連設される。
【００４８】
上述したシート状部材８００により略立方体を形成するための手順を以下に例示する。まず、補強部材８４１及び補強部材８４２を互いに向かい合うように起立させる。同様に、補強部材８６１及び補強部材８６２を互いに向かうように起立させる。
【００４９】
次いで、接合部材８６５を所定側に起立させると共に、側面６０シート部８６０と、上面シート部８１０と、側面４０シート部８４０と、底面シート部８２０とにより所定の筒状を形成するようにシート状部材８００を折り曲げる。
【００５０】
この折り曲げられた状態において、接合部材８６５が内部空間側に配置されるよう該接合部材８６５と側面６０シート部８６０とを互いに重なるように配置すると共に、所定の接着剤等で接合する。
【００５１】
この形成された所定の筒状における両端側に連設された所定のフラップを、該両端それぞれに形成される開口を塞ぐように折り返すことで、側面３０、５０が形成される。具体的には、下側フラップ８５１を一方の端部側に形成される開口を塞ぐように折り返すと共に、上側フラップ８３２を下側フラップ８５１の外側に重なるよう折り返すことで側面３０を形成する。同様に、下側フラップ８５１を他方の端部側に形成される開口を塞ぐように折り返すと共に、上側フラップ８５２を下側フラップ８５１の外側に重なるよう折り返すことで側面５０を形成する。
【００５２】
そして、所定の接着剤等により下側フラップ８５１と上側フラップ８３１とを接合し、下側フラップ８５１と上側フラップ８３１とを接合することで、本実施形態の容器１を形成することができる。
【００５３】
ここで、シート状部材８００には、後述する折曲線３ａ、３ｂや切り込み線６ａ、７ａ、６ｂ、７ｂ等を予め形成しておくことができる。
【００５４】
このシート状部材８００の材質としては、例えば、コートボール紙と呼ばれる積層紙を用いることができる。更には、例えば、ポリプロピレン（ＰＰ）やポリエチレンテレフタレート（ＰＥＴ）などのプラスチック素材や、他の紙素材、もしくはそれらの複合素材を用いることができる。
【００５５】
上述したシート状部材８００により形成された容器１は、上面１０と、上面１０に対向する底面２０と、上面１０の外周辺１１、１２、１３、１４それぞれと底面２０の外周辺２１、２２、２３、２４それぞれを繋ぐように配置される４つの側面３０、４０、５０、６０と、を有する略直方体の容器である。
【００５６】
「１．２．３」折曲線
図１又は図２に示すように、折曲線３ａは、上面１０における外周辺１１に対して略平行に形成される。折曲線３ａは、容器１における本体側と使用時に形成される蓋部４ａとの間に形成される。言い換えると、折曲線３ａは、使用時に形成される蓋部４ａを該折曲線３ａを軸として回動可能に容器１の本体側と連設させる。
【００５７】
この折曲線３ａの両端から外周辺１１を介して後述する取手部５ａまで、連続して切り込み線６ａ及び７ａが形成される。
【００５８】
また、折曲線３ａの両端から上面における外周辺１２、底面における外周辺２２、底面における外周辺２４及び、上面における外周辺１４を介し、容器１の外周を周回するように後述する第１の周回切り込み線９０ａが形成される。
【００５９】
この折曲線３ａは、例えば、押罫や切れ込みを入れた鎖線・点線などのミシン目を例示することができる。
【００６０】
ここで、折曲線３ｂにおいても、上述した折曲線３ａにおける説明を援用することができる。
【００６１】
「１．２．４」切り込み線
図１又は図２に示すように、切り込み線６ａ、７ａは、折曲線３ａの両端それぞれから上面１０における外周辺１１を介して側面３０における所定の位置まで連続して形成される。
【００６２】
具体的には、切り込み線６ａは、上面１０に形成され折曲線３ａの外周辺１２側の端部から外周辺１１に直交するように形成される直線状の上面側切り込み線６１０と、該上面側切り込み線６１０に連続して取手部５ａの一方の端部に繋がるように形成される側面側切り込み線６２０と、を有する。この側面側切り込み線６２０は、底面側の外周辺２１に直交するように延びる直線部分と該直線部分に対して所定の角度をなし側面３０における中央側に向かうように延びる部分とを有する。
【００６３】
切り込み線７ａは、上記切り込み線６ａと同様に、上面１０に形成され折曲線３ａの外周辺１４側の端部から外周辺１１に直交するように形成される直線状の上面側切り込み線７１０と、該上面側切り込み線７１０に連続して側面３０に形成され取手部５ａの他方の端部に繋がるように形成される側面側切り込み線７２０と、を有する。この側面側切り込み線７２０は、底面側の外周辺２１に直交するように延びる直線部分と該直線部分に対して所定の角度をなし側面３０における中央側に向かうように延びる部分とを有する。
【００６４】
この切り込み線６ａ、７ａに沿って、該切り込み線６ａ、７ａを挟む一方側と他方側とに分離することで、後述する蓋部４を形成することができる。
【００６５】
切り込み線６ａ、７ａは、例えば、鎖線・点線などのミシン目やジッパーを例示することができる。
【００６６】
ここで、切り込み線６ｂ、７ｂにおいても、上述した切り込み線６ａ、７ａにおける説明を援用することができる。
【００６７】
「１．２．５」取手部
図１又は図３に示すように、取手部５ａは、側面３０に配置される。取手部５ａは、折曲線３ａの両端それぞれから連続して形成される２本の切り込み線６ａ、７ａの終端それぞれを繋ぐように配置される。また、取手部５ａは、使用時に形成される蓋部４ａにおいて折曲線３ａとは反対側の端部に配置される。
【００６８】
取手部５ａは、図１又は図８に示すように、容器１における折曲線３ａから所定の外周辺１１を介した取手部５ａの先端までの長さＫ１＋Ｋ２が、折曲線３ａから被挿入部２１０までの距離Ｌよりも長くなるよう形成されている。
【００６９】
好ましくは、蓋部４ａにおける折曲線３ａから所定の外周辺１１までの長さＫ１が、折曲線３ａから底面２０までの距離Ｋ３と略同じ長さであり、外周辺１１から取手部５ａにおける２本の切り込み線の終端の位置である根元部までの長さＫ４が、折曲線３ａから底面２０に垂直に引いた線が底面２０と交差して形成される線から被挿入部２１０までの距離Ｋ５と略同じ長さである。
【００７０】
このように形成することで、図８に示すように、取手部５ａを被挿入部２１０に挿入可能に形成することができる。
【００７１】
ここで、取手部５ｂにおいても、上述した取手部５ａにおける説明を援用することができる。
【００７２】
「１．２．６」被挿入部
図５に示すように、被挿入部２１０は、底面２０に所定長さの切り込みにより形成することができる。例えば、図５に示すように底面側の外周辺２３側に緩やかに突出するような曲線状の切り込みにより形成することができる。そして、被挿入部２１０は、取手部５ａを挿入可能に形成される。
【００７３】
ここで、被挿入部２２０においても、上述した被挿入部２１０における説明を援用することができる。
【００７４】
「１．２．７」周回切り込み線及び分離部
図１、図２又は図４に示すように、第１周回切り込み線９０ａは、折曲線３ａの両端部を繋ぎ該容器１の外周を周回するように形成される。また、第２周回切り込み線９１ａは、第１周回切り込み線９０ａの側面３０側に略平行に形成され、切り込み線６ａの所定位置から切り込み線７ａの所定位置を繋ぐように形成される。そして、この第１周回切り込み線９０ａと第２切り込み線９１ａとの挟まれた領域である分離部９３ａが形成される。
【００７５】
第１周回切り込み線９０ａに沿って該第１周回切り込み線９０ａを挟む一方側と他方側とを分離することで、該容器１を２つの分離容器に分離することができる。例えば、分離部９３を容器１から切り離すことで、容器１を２つの分離容器に分離することができる。
【００７６】
ここで、被挿入部２２０においても、上述した被挿入部２１０における説明を援用することができる。
【００７７】
「１．２．８」端部側係止部
端部側係止部８ａは、取手部５ａの近傍に形成され取手部側とは反対側に突出するような略Ｕ字状の切り込み８０により形成される。
【００７８】
端部側係止部８ａは、後述する使用時において形成される蓋部４ａにおける折曲線３ａとは反対側の端部側に形成される。そして、端部側係止部８ａが後述する底面側被係止部２４０に挿入されることで、分離容器における新たな側面を形成することができる。
【００７９】
ここで、不図示の端部側係止部８ｂにおいても、上述した端部側係止部８ａにおける説明を援用することができる。
【００８０】
「１．２．９」底面側被係止部
底面側被係止部２４０は、底面２０における周回切り込み線９０ａに対して所定の側面３０と反対側に端部側係止部８ａを挿入可能に形成される。言い換えると、上述した分離部等により分離された分離容器における折曲線３ａを有する分離容器における底面を形成する底面２０における領域に形成される。
【００８１】
上述の通り、底面側被係止部２４０には、端部側係止部８ａを挿入することができる。また、底面側被係止部２４０は、取手部５ａを挿入可能に形成することもでき、この場合、端部側係止部８ａに換えて取手部５ａを底面側被係止部２４０に挿入することもできる。
【００８２】
ここで、底面側被係止部２３０においても、上述した底面側被係止部２４０における説明を援用することができる。
【００８３】
「１．２．１０」蓋部
蓋部４は、後述する使用態様において２本の切り込み線６ａ、７ａそれぞれに沿って該切り込み線６ａ、７ａを挟む一方側と他方側とを分離させることにより形成される。蓋部４ａは、該蓋部４ａを形成することで同時に形成される開口部２を開閉可能に形成される。詳細には、蓋部４ａは折曲線３ａを介して開口部２の全部又は一部を覆うように連設される。
【００８４】
蓋部４ａは、使用時においては、折曲線３ａを軸として開口部２に入り込むよう折り曲げられる。これにより、蓋部４ａにおける全部又は一部は、該容器１における内部空間を複数の空間に仕切るよう配置される。
【００８５】
本実施形態において、蓋部４ａは、切り込み線６ａ、７ａに沿うようにして該切り込み線６ａ、７ａを挟む一方側と他方側を分離することで形成されるが、本発明の容器は、これに限定されない。例えば、他の蓋部を新たに設け、その一端側を容器１に連結する事によっても形成可能である。
【００８６】
ここで、蓋部４ｂにおいても、上述した蓋部４ａにおける説明を援用することができる。
【００８７】
「１．２．１１」封緘部
封緘部５０ａは、側面３０に取手部５ａを挿入可能に形成される。封緘部５０ａには、例えば、使用時に形成される蓋部４ａの端部側に配置される取手部５ａが挿入される。これにより、蓋部４を封緘することができる。詳細には、開口部２の全部又は一部を覆うように蓋部４ａを配置すると共に取手部５ａを封緘部５０ａに挿入することで、蓋部４ａを、開口部２を覆った状態で位置決めすることができる。
【００８８】
ここで、封緘５０ｂにおいても、上述した封緘部５０ａにおける説明を援用することができる。
【００８９】
「１．３」第１使用形態
図１から図８により、本実施形態における容器１の第１使用形態について説明する。
【００９０】
図１に示す容器１において、上面１０から側面３０ａに連続して形成される２本の切り込み線６ａ、７ａそれぞれに沿って、該切り込み線６ａ、７ａを挟む一方側と他方側とを分離させる。これにより、所定の側面３０から上面１０に連続して形成される開口部２が形成されると共に、折曲線３ａを介して開口部２の全部又は一部を覆うように連設される蓋部が形成される。
【００９１】
また、図７に示すように、例えば、取手部５ａを摘んで矢印Ｆ１方向に引き上げることで、開口部２と蓋部４ａとを形成することができる。この開口部２から、不図示の収納物を取り出すことができる。
【００９２】
図８に示すように、蓋部４ａは、折曲線３ａを軸として開口部２に入り込むよう折り曲げると共に、蓋部４ａにおける端部側に配置される取手部５ａを底面２０に形成される被挿入部２１０に挿入する。これにより、蓋部４ａにおける全部又は一部は、容器１における内部空間を複数の空間に仕切ることができる。
【００９３】
具体的には、まず、蓋部４ａを矢印Ｆ２の方向に折曲線３ａを軸として開口部２に入り込むように折り曲げる。次いで、蓋部４ａにおける取手部５ａ側の領域を、該蓋部４ａにおける外周辺１１が配置されていた折曲線１１１を軸にして、図７における場合とは反対側に向かうよう折り曲げる。そして、蓋部４ａにおける端部に配置される取手部５ａを底面２０に形成される被挿入部２１０に挿入する。これにより、上述のように、蓋部４ａにおける全部又は一部は、容器１における内部空間を複数の空間に仕切ることができる。
【００９４】
ここで、容器１には所定の収納物が収納されるが、例えば、収納物がパフ等の厚さの薄く自立性のない物である場合、開口部２からパフを取り出していくにつれて、開口部２に対向する方向に空間が生じ、自立性のない化粧パフは倒立しやすくなる。本実施形態における容器１は、収納されたパフが半減した時点で、蓋部４ａを上述したように開口部２に入り込むよう折り込み、取手部５ａを被挿入部２１０に挿入して係止することで、内部空間に仕切り板を形成することができるため、内部空間において空隙部と、パフの残余部とを仕切ることができる。また、パフの倒立を防止できる。また、形成された空隙部には、新たに他の物を収納等することができる。
【００９５】
本実施形態における容器１にパフを収納する場合、例えば、図１８に示すように容器の長手方向にパフ９００が積層的に配列されるようにして収納することができる。また、図１９に示すように、容器の幅方向にパフ９００が積層的に配列されるようにして収納することもできる。ここで、図１９に示すようにパフ９００を幅方向に積層的に配列した場合には、本実施形態における容器１に形成される蓋部４ａ、４ｂ等は、長手方向の端部側ではなく、幅方向おいて対向する面に形成することもできる。更には、図示しないが、パフを容器の高さ方向に積層するように配列して収納することもできる。この場合にも、パフの使用により容器の内部空間には空隙が生じるため、容器１は、図１８や図１９に示す収納態様の場合と同様に使用することができる。
【００９６】
「１．４」第２使用形態
図８から図１０により、本実施形態における容器の第２使用形態について説明する。
【００９７】
図８に示す容器１における第２使用形態において、第１周回切り込み線９０ａに沿って該周回切り込み線９０ａを挟む一方側と他方側とを分離させることで、容器１を、図９及び図１０に示す蓋部４ａを有する第１分離容器１ａと、蓋部４ａを有しない不図示の第２分離容器とに分離可能である。具体的には、第１周回切り込み線９０ａと第２周回切り込み線９１ａとの間に形成される分離部９３ａを、容器１の外周に沿うように剥離することで、第１分離容器１ａと、不図示の第２分離容器とに分離することができる。
【００９８】
図９及び図１０に示すように、第１分離容器１ａにおいて、蓋部４ａは、第１周回切り込み線９０ａを挟む一方側と他方側とを分離させることで形成される側面側開口部２２２ａの全部又は一部を覆うように配置される。蓋部４ａの全部又は一部は、第１分離容器１ａにおける新たな側面を形成する。
【００９９】
図９及び図１０に示すように、蓋部４ａにおける折曲線１１１を軸として、蓋部４ａの端部に配置される取手部５ａ及び端部側係止部８ａが第１分離容器１ａにおける底面２０ａが外面に重なるように折り曲げる。具体的には、折曲線１１１を軸として、蓋部４ａにおける端部側を矢印Ｔ１→矢印Ｔ２の方向に折り曲げる。
【０１００】
そして、底面側被係止部２４０に端部側係止部８ａを挿入させることで、蓋部４ａを係止する。これにより、上述のように、蓋部４ａの全部又は一部が、第１分離容器１ａにおける新たな側面を形成する。
【０１０１】
本使用形態によれば、容器１に収納されていた所定の収納物の残余量（枚数）に応じて容器１の大きさを変えることができる。例えば、容器１をコンパクト化することができる。
【０１０２】
「２」第２実施形態
図１３から図１５により、本発明における第２実施形態の容器について説明する。
【０１０３】
「２．１」概要
図１３から図１５に示すように、本実施形態における容器１Ａは、第１実施形態における容器１における蓋部４ａ等の係止を、側面４０等により形成される所定の係止部により係止する点で異なる。
【０１０４】
具体的には、所定の側面３０に略直交する他の側面４０に形成される側面側係止部４１０と、蓋部４ａに形成され側面側係止部４１０が挿入可能な上面側被係止部４５０が形成される点で異なる。
【０１０５】
上記により、本実施形態における容器１Ａの概要について説明したが、その詳細な態様について、特に、販売時における態様や実際に使用される場合における所定の使用態様について説明する。また、以下において、本実施形態における容器１Ａにおける第１実施形態の容器１と異なる点を中心に説明する。
【０１０６】
「２．２」各種態様
図１３から図１５により、本実施形態における容器１Ａの使用前や使用時における態様について説明する。
【０１０７】
「２．２．１」使用前における態様
図１３から図１５に示すように、本実施形態における容器１Ａは、所定の側面３０に略直交する他の側面４０に形成され、所定の側面３０側又は所定の側面と対向する側面５０の側に突出する略Ｕ字状の切り込み４１３により形成される側面側係止部４１０と、２本の切り込み線６ａ、７ａに挟まれた領域に形成され、所定の外周辺１１に対し略垂直な方向に延びる切り込みにより形成される上面側被係止部４５０と、を備える。
【０１０８】
側面側係止部４１０は、側面４０における側面３０側に突出するような略Ｕ字状の切り込み４１３により形成される。側面側係止部４１０は、略Ｕ字状における開口側である根元部４１５において容器１Ａに固定される。ここで、略Ｕ字状とは、厳密なＵ字を意味するのではなく、コの字状やＶ字状を含むものである。
【０１０９】
側面側係止部４１０は、根元部４１５を軸として、容器１Ａの内部空間に入り込むように折り曲げることができる。この折り曲げられた側面側係止部４１０が蓋部４ａ（上面１０）に形成された上面側被係止部４５０に挿入されることで蓋部４ａを係止することができる。
【０１１０】
上面側被係止部４５０は、上面１０に形成され外周辺１１に直交する方向における所定長さの切り込みにより形成される。上面側被係止部４５０は、切り込み線６ａ、７ａに挟まれる領域に形成される。言い換えると、上面側被係止部４５０は、使用時に形成される蓋部４ａに形成される。この使用時に形成される蓋部４ａが開口部２に入り込むように折り曲げられた状態において、上面側被係止部４５０には、側面側係止部４１０が挿入される。
【０１１１】
ここで、側面側係止部４１０が、使用時に形成される蓋部４ａが開口部２に入り込むように折り曲げられた場合に上面側被係止部４５０に挿入可能となるために、側面側係止部４１０と上面側被係止部４５０とは、その大きさや位置において所定の関係を有する。
【０１１２】
例えば、上面側被係止部４５０は、該上面側被係止部４５０における外周辺１１に垂直な方向における長さが、側面側係止部４１０における幅よりも長くなるよう形成される。
【０１１３】
また、例えば、折曲線３ａから上面側被係止部４５０までの距離と、外周辺１２から側面側係止部４１０における幅方向の中心までの距離とが略同じになるように形成される。
【０１１４】
第１実施形態における底面２０に形成される被挿入部２１０は、本実施形態の容器１Ａにおいては必須ではなく、該被挿入部２１０を形成しないようにすることもできる。この場合において、第１実施形態における折曲線３ａから取手部５ａまでの長さと折曲線３ａから被挿入部２１０までの距離との関係や、折曲線３ａから外周辺１１までの長さと折曲線３ａから底面２０までの距離との関係等についての制約はない。
【０１１５】
ここで、上面側被係止部４５１においても、上述した上面側被係止部４５０における説明を援用することができる。また、上面側被係止部４６０、４６１において、同様に、上述した上面側被係止部４５０における説明を援用することができる。
【０１１６】
「２．２．２」使用形態
図１４又は図１５に示すように、蓋部４ａは、折曲線３ａを軸として開口部２に入り込むよう折り曲げられる。側面側係止部４１０は、略Ｕ字状における根元部４１５を軸として容器１Ａにおける内部空間側に入りこむよう折り曲げられる。例えば、指等により外側から内側に押すようにして矢印Ｆ３の方向に側面側係止部４１０を折り曲げて容器１の内部空間に入り込ませると共に、該側面側係止部４１０を蓋部４（上面１０）の形成される上面側被係止部４５０に挿入させることができる。これにより、蓋部４ａを側面から係止することができる。
【０１１７】
「３」第３実施形態
図１６により、本発明における第３実施形態の容器について説明する。
【０１１８】
「３．１」概要
図１６に示すように、本実施形態における容器１Ｂは、第２実施形態における容器１Ａにおける側面からの係止部を複数形成し、多段階に蓋部４ａを係止できる点で容器１Ａと異なる。
【０１１９】
具体的には、側面４０には、複数の側面側係止部４３０、４４０、４７０が形成され、蓋部４ａには、折曲線３ａと略平行に形成される蓋上折曲線３２０、３３０が形成され、蓋上折曲線３２０、３３０それぞれにおける折曲線３００側とは反対の側には、上面側被係止部４５１、４５２が形成される点で異なる。
【０１２０】
上記により、本実施形態における容器１Ｂの概要について説明したが、その詳細な態様について、特に、販売時における態様や実際に使用される場合における所定の使用態様について説明する。また、以下において、本実施形態の容器１Ｂにおける第２実施形態の容器１Ａと異なる点を中心に説明する。
【０１２１】
「３．２」各種態様
図１３から図１６により、本実施形態における容器１Ｂの使用前や使用時における態様について説明する。
【０１２２】
図１６に示すように、本実施形態における容器１Ｂは、側面４０に、側面側係止部４３０、４４０、４７０が形成され、２本の切り込み線６ａ、７ａに挟まれた領域には、折曲線３００と略平行に形成される蓋上折曲線３２０、３３０が形成され、蓋上折曲線３２０、３３０それぞれにおける折曲線３００側とは反対の側には、上面側被係止部４５１、４５２が形成される。
【０１２３】
側面側係止部４３０、４４０、４７０は、根元部４３５、４４５、４７５それぞれを軸として、容器１Ｂの内部空間に入り込むように折り曲げることができる。この折り曲げられた側面側係止部４３０、４４０、４７０それぞれは、蓋部４ａ（上面１０）に形成された上面側被係止部４５１、４５２又は上面側被挿入部４５３それぞれに挿入されることで蓋部４ａを多段階で係止することができる。
【０１２４】
上面側被係止部４５１、４５２又は上面側被挿入部４５３それぞれ、上面１０に形成され外周辺１１に直交する方向において所定長さである切り込みにより形成される。上面側被係止部４５１、４５２又は上面側被挿入部４５３それぞれは、切り込み線６ａ、７ａに挟まれる領域に形成される。言い換えると、上面側被係止部４５１、４５２又は上面側被挿入部４５３それぞれは、使用時に形成される蓋部４ａ上に形成される。この使用時に形成される蓋部４ａが開口部２に入り込むように折り曲げられた状態において、上面側被係止部４５１、４５２又は上面側被挿入部４５３それぞれには、側面側係止部４３０、４４０、４７０それぞれが挿入される。
【０１２５】
ここで、側面側係止部４３０、４４０、４７０それぞれが、使用時に形成される蓋部４ａが開口部に入り込むように折り曲げられた場合における上面側被係止部４５１、４５２又は上面側被挿入部４５３それぞれに挿入できるために、側面側係止部４３０、４４０、４７０と上面側被係止部４５１、４５２又は上面側被挿入部４５３それぞれとは、その大きさや位置において所定の関係を有する。
【０１２６】
例えば、上面側被係止部４５１、４５２又は上面側被挿入部４５３それぞれは、該上面側被係止部４５１、４５２又は上面側被挿入部４５３それぞれにおける外周辺１１に垂直な方向における長さが、側面側係止部４３０、４４０、４７０それぞれにおける幅よりも長くなるよう形成される。
【０１２７】
また、例えば、蓋上折曲線３２０から上面側被係止部４５１までの距離と、外周辺１２から側面側係止部４３０における幅方向の中心までの距離とが略同じになるように形成される。また、例えば、蓋上折曲線３３０から上面側被係止部４５２までの距離と、外周辺１２から側面側係止部４４０における幅方向の中心までの距離とが略同じになるように形成される。また、例えば、折曲線３００から上面側被挿入部４５３までの距離と、外周辺１２から側面側係止部４７０における幅方向の中心までの距離とが略同じになるように形成される。
【０１２８】
ここで、容器１Ｂには所定の収納物が収納されるが、例えば、パフ等の厚さが薄く自立性のない物を長手方向に積層的に配列した場合、開口部からパフを取り出していくにつれて、開口部から対向する方向に空隙が生じる。このような場合、自立性のないパフは倒れやすくなる。本実施形態における容器１Ｂは、パフの減少に伴い多段的に仕切りを形成することで、パフが倒れることを抑制すると共に、パフを開口部側に押し出すようにして取り出しやすい位置に配置させることが可能である。また、パフを容器１Ｂにおける高さ方向に積層するように配列して収納した場合、開口部から積層された１列のパフを取り出すごとに多段的に空隙が生じる。本実施形態における容器１Ｂは、この多段的に生じる空隙を埋めるためパフ全体を開口側に移動させた場合に、該移動により生じた開口側と対向する側に生じる空隙とパフとを多段的に仕切ることができる。
【０１２９】
例えば、蓋部４ｂを開口してパフ等の収納物を該蓋部４ｂ側から取り出すと共に、蓋部４ａにより多段的に仕切りを形成することができる。具体的には、まず、蓋部４ａ側を、蓋上折曲線３２０を軸にして内部空間に入り込むように折り曲げると共に側面側係止部４３０を上面側被係止部４５１に挿入することで、側面３０から所定距離だけ離れた仕切りを形成することができる。
【０１３０】
次いで、蓋部４ａ側を、蓋上折曲線３３０を軸にして内部空間に入り込むように折り曲げると共に側面側係止部４４０を上面側被係止部４５２に挿入することで、側面３０から更に所定距離だけ離れた仕切りを形成することができる。
【０１３１】
そして、蓋部４ａ側を、折曲線３００を軸にして内部空間に入り込むように折り曲げると共に側面側係止部４７０を上面側被挿入部４５３に挿入することで、側面３０から更に所定距離だけ離れた仕切りを形成することができる。
【０１３２】
ここで、本実施形態に限らないが、蓋部４ａと蓋部４ｂとの大きさや形状が同じである必要はない。例えば、一方の蓋部をパフ等の収納物の取り出しができる最低限度の大きさにして、反対側の蓋部により上記仕切りを形成してパフ等の内容物を一方側の蓋側に押し出すように構成することができる。
【０１３３】
また、本実施形態において、仕切りとしての蓋部は側面に形成された所定の係止部により係止された容器について説明しているが、例えば、第１実施形態に示すような、底面部に所定の被挿入部等を形成して、蓋部の端部側に配置される取手部等を挿入することで形成することもできる。また、この場合、底面に複数の挿入部を形成することで、上記と同様に多段的に仕切り形成等することができる。
【図面の簡単な説明】
【０１３４】
【図１】本発明における第１実施形態の容器における斜視図である。
【図２】第１実施形態の容器における平面図である。
【図３】第１実施形態の容器における側面３０側の側面図である。
【図４】第１実施形態の容器における側面４０側の側面図である。
【図５】第１実施形態の容器における底面図である。
【図６】図３における蓋部が開口した場合の図である。
【図７】第１実施形態の容器における第１使用形態を説明する図である。
【図８】第１実施形態の容器における第１使用形態を説明する図である。
【図９】第１実施形態の容器における第２使用形態を説明する図である。
【図１０】第１実施形態の容器における第２使用形態を説明する図である。
【図１１】第１実施形態の容器における第２使用形態を説明する図である。
【図１２】図１１における分離容器の底面側からの斜視図である。
【図１３】本発明における第２実施形態容器における斜視図である。
【図１４】第２使用形態における使用形態を説明する図である。
【図１５】第２使用形態における使用形態を説明する図である。
【図１６】本発明における第３実施形態の容器における斜視図である。
【図１７】第１実施形態の容器における展開図である。
【図１８】パフを容器の長手方向に積層するように収納した場合の収納状態を説明する図である。
【図１９】パフを容器の幅方向に積層するように収納した場合の収納状態を説明する図である。
【符号の説明】
【０１３５】
１      容器
３ａ    折曲線
４ａ    蓋部
５ａ    取手部
６ａ    切り込み線
７ａ    切り込み線
１０    上面
１１    外周辺
２０    底面
３０    側面
４０    側面
９０ａ  第１周回切り込み線
９１ａ  第２周回切り込み線
９３ａ  分離部
【図１】
0004808084.tif 000002
【図２】
0004808084.tif 000003
【図３】
0004808084.tif 000004
【図４】
0004808084.tif 000005
【図５】
0004808084.tif 000006
【図６】
0004808084.tif 000007
【図７】
0004808084.tif 000008
【図８】
0004808084.tif 000009
【図９】
0004808084.tif 000010
【図１０】
0004808084.tif 000011
【図１１】
0004808084.tif 000012
【図１２】
0004808084.tif 000013
【図１３】
0004808084.tif 000014
【図１４】
0004808084.tif 000015
【図１５】
0004808084.tif 000016
【図１６】
0004808084.tif 000017
【図１７】
0004808084.tif 000018
【図１８】
0004808084.tif 000019
【図１９】
0004808084.tif 000020